(57)【要約】【課題】特段の操作を行わずに、カメラ機能を円滑に起動することができる携帯電子機器を提供すること。【解決手段】開検出部５５が第１筐体２と第２筐体３との位置状態の変化を検出した場合に、制御部５７は位置検出部５４の情報に基づき、カメラ部１３の起動を制御する。【選択図】図４
2011049905.tif 000002
【特許請求の範囲】
【請求項１】
第１の筐体と、
該第１の筐体と相対移動可能である第２の筐体と、
前記第１の筐体と前記第２の筐体との相対位置状態を検出し開動作の有無を検出する開検出部と、
前記第１の筐体又は第２の筐体に配設された、当該第１の筐体及び第２の筐体の位置情報を検出する位置検出部と、
前記第１の筐体又は第２の筐体に配設されたカメラ部と、
前記カメラ部の起動を制御する制御部と、を有し、
前記開検出部が前記第１の筐体と前記第２の筐体との位置状態の変化を検出した場合に、前記制御部は前記位置検出部の情報に基づき、前記カメラ部の起動を制御する
携帯電子機器。
【請求項２】
前記制御部は、
前記位置検出部が検出した位置情報から当該場所がカメラ部の使用頻度が高い場所であるかを判断し、
前記カメラ部の使用頻度が高い場所である場合には、前記カメラ部の起動制御を開始する
請求項１に記載の携帯電子機器。
【請求項３】
前記制御部は、
過去の開動作後にカメラ部の操作の有無を判断し、前記カメラ部の操作があった場合には前記カメラ部の起動制御を開始する
請求項１又は２に記載の携帯電子機器。
【請求項４】
前記制御部は、
前記カメラ部の起動の後、一定期間の間に前記カメラ部の操作がない場合には前記カメラ部の起動制御を停止する
請求項２又は３いずれか１項に記載の携帯電子機器。
【請求項５】
前記制御部が前記カメラ部の起動制御を停止するのに用いる前記一定期間は、
少なくとも、前記位置検出部が検出した位置情報から当該場所が前記カメラ部の使用頻度が高い場所であるか否か、過去の開動作後に前記カメラ部の操作の有無の、少なくともいずれか１つから設定される
請求項４に記載の携帯電子機器。
【請求項６】
前記制御部が前記カメラ部の起動制御を停止するのに用いる前記一定期間のカウントは、通話着信があった場合又は電子メールの着信があった場合に、当該機能を操作している間はカウントされない
請求項５に記載の携帯電子機器。
【請求項７】
前記制御部は、
前記開検出部が前記第１の筐体と前記第２の筐体との位置状態の変化を検出した場合に、前記カメラ部の起動制御を開始し、
前記カメラ部の起動の後、一定期間の間に前記カメラ部の操作がない場合には前記カメラ部の起動制御を停止する
請求項１に記載の携帯電子機器。
【請求項８】
前記制御部がカメラ部の起動制御を停止するのに用いる前記一定期間は、
少なくとも、前記位置検出部が検出した位置情報から当該場所がカメラ部の使用頻度が高い場所であるか否か、過去の開動作後にカメラ部の操作の有無の、少なくともいずれか１つから設定される
請求項７に記載の携帯電子機器。
【請求項９】
カメラ部付携帯電子機器のカメラ部の制御方法であって、
第１の筐体と第２の筐体との相対位置状態を検出し開動作の有無を開検出部が検出し、
開動作があった場合に携帯電子機器の位置を位置検出部が検出し、
開動作が検出された場合に、前記位置検出部の位置情報に基づき、前記カメラ部の起動を制御する
携帯電子機器のカメラ部の制御方法。
【請求項１０】
位置情報から携帯電子機器の存在する場所が前記カメラ部の使用頻度が高い場所であるかを判断し、前記カメラ部の使用頻度が高い場所である場合には、前記カメラ部の起動制御を開始する
請求項９に記載の携帯電子機器のカメラ部の制御方法。
【請求項１１】
過去の開動作後に前記カメラ部の操作の有無を判断し、前記カメラ部の操作があった場合には前記カメラ部の起動制御を開始する
請求項９又は１０に記載の携帯電子機器のカメラ部の制御方法。
【請求項１２】
前記カメラ部の起動の後、一定期間の間に前記カメラ部の操作がない場合には前記カメラ部の起動制御を停止する
請求項１０又は１１に記載の携帯電子機器のカメラ部の制御方法。
【請求項１３】
前記起動制御を停止するのに用いる前記一定期間は、少なくとも、前記位置検出部が検出した位置情報から当該場所が前記カメラ部の使用頻度が高い場所であるか否か、過去の開動作後に前記カメラ部の操作の有無の、少なくともいずれか１つから設定される
請求項１２に記載の携帯電子機器のカメラ部の制御方法。
【請求項１４】
前記カメラ部の起動制御を停止するのに用いる前記一定期間は、通話着信があった場合又は電子メールの着信があった場合に、当該機能を操作している間はカウントされない
請求項１３に記載の携帯電子機器のカメラ部の制御方法。
【請求項１５】
前記開検出部が前記第１の筐体と前記第２の筐体との位置状態の変化を検出した場合に、カメラ部の起動制御を開始し、
前記カメラ部の起動の後、一定期間の間に前記カメラ部の操作がない場合には前記カメラ部の起動制御を停止する
請求項９に記載の携帯電子機器のカメラ部の制御方法。
【請求項１６】
前記一定期間は、少なくとも、前記位置検出部が検出した位置情報から当該場所が前記カメラ部の使用頻度が高い場所であるか否か、過去の開動作後に前記カメラ部の操作の有無の、少なくともいずれか１つから設定される
請求項１５に記載の携帯電子機器のカメラ部の制御方法。
【発明の詳細な説明】
【技術分野】
【０００１】
本発明は、カメラ部を備えた携帯電話機、ＰＤＡ、携帯型ゲーム機、携帯用テレビ、携帯用ラジオ等の携帯電子機器に関する。加えて、当該携帯電子機器の制御方法に関する。
【背景技術】
【０００２】
特許文献１には、開閉状態を取ることができる携帯電子機器に、開閉状態を検出するセンサを設置して、特定のキーを押下げながらスライドされたことを検出し、カメラ機能や電子メール機能等の所定の機能を起動する携帯端末が開示されている。
【先行技術文献】
【特許文献】
【０００３】
【特許文献１】特開２００８―３１２２５８号公報
【発明の概要】
【発明が解決しようとする課題】
【０００４】
しかしながら、カメラ付き携帯端末において、カメラ機能の設定及び当該機能の有効時間・有効場所の設定方法が不便であるという不利益があった。
【０００５】
本発明の目的は、特段の操作を行わずに、カメラ機能を円滑に起動することができる携帯電子機器を提供することである。
【課題を解決するための手段】
【０００６】
本発明の携帯電子機器は、第１の筐体と、該第１の筐体と相対移動可能である第２筐体と、前記第１の筐体と前記第２の筐体との相対位置状態を検出し開動作の有無を検出する開検出部と、前記第１の筐体又は第２の筐体に配設された、当該第１の筐体及び第２の筐体の位置情報を検出する位置検出部と、前記第１の筐体又は第２の筐体に配設されたカメラ部と、前記カメラ部の起動を制御する制御部と、を有し、前記開検出部が前記第１の筐体と前記第２の筐体との位置状態の変化を検出した場合に、前記制御部は前記位置検出部の情報に基づき、前記カメラ部の起動を制御する。
【０００７】
好適には、前記制御部は、位置検出部が検出した位置情報から当該場所がカメラ部の使用頻度が高い場所であるかを判断し、カメラ部の使用頻度が高い場所である場合には、前記カメラ部の起動制御を開始する。
【０００８】
好適には、前記制御部は、過去の開動作後にカメラ部の操作の有無を判断し、カメラ部の操作があった場合には前記カメラ部の起動制御を開始する。
【０００９】
好適には、前記制御部は、前記カメラ部の起動の後、一定期間の間に前記カメラ部の沿操作がない場合には前記カメラ部の起動制御を停止する。
【００１０】
好適には、前記制御部がカメラ部の起動制御を停止するのに用いる前記一定期間は、少なくとも、位置検出部が検出した位置情報から当該場所がカメラ部の使用頻度が高い場所であるか否か、過去の開動作後にカメラ部の操作の有無の、少なくともいずれか１つから設定される。
【００１１】
好適には、前記制御部がカメラ部の起動制御を停止するのに用いる前記一定期間のカウントは、通話着信があった場合又は電子メールの着信があった場合に、当該機能を操作している間はカウントされない。
【００１２】
好適には、前記制御部は、前記開検出部が前記第１の筐体と前記第２の筐体との位置状態の変化を検出した場合に、前記カメラ部の起動制御を開始し、前記カメラ部の起動の後、一定期間の間に前記カメラ部の操作がない場合には前記カメラ部の起動制御を停止する。
【００１３】
好適には、前記制御部がカメラ部の起動制御を停止するのに用いる前記一定期間は、少なくとも、位置検出部が検出した位置情報から当該場所がカメラ部の使用頻度が高い場所であるか否か、過去の開動作後にカメラ部の操作の有無の、少なくともいずれか１つから設定される。
【００１４】
本発明における、携帯電子機器のカメラ部の制御方法は、カメラ部付携帯電子機器のカメラ部の制御方法であって、第１の筐体と前記第２の筐体との相対位置状態を検出し開動作の有無を開検出部が検出し、開動作があった場合に携帯電子機器の位置を位置検出部が検出し、開動作が検出された場合に、前記位置検出部の位置情報に基づき、前記カメラ部の起動を制御する。
【００１５】
好適には、位置情報から携帯電子機器の存在する場所が前記カメラ部の使用頻度が高い場所であるかを判断し、前記カメラ部の使用頻度が高い場所である場合には、前記カメラ部の起動制御を開始する。
【００１６】
好適には、過去の開動作後に前記カメラ部の操作の有無を判断し、前記カメラ部の操作があった場合には前記カメラ部の起動制御を開始する。
【００１７】
好適には、前記カメラ部の起動の後、一定期間の間に前記カメラ部の操作がない場合には前記カメラ部の起動制御を停止する。
【００１８】
好適には、起動制御を停止するのに用いる前記一定期間は、少なくとも、前記位置検出部が検出した位置情報から当該場所が前記カメラ部の使用頻度が高い場所であるか否か、過去の開動作後に前記カメラ部の操作の有無の、少なくともいずれか１つから設定される。
【００１９】
好適には、前記カメラ部の起動制御を停止するのに用いる前記一定期間は、通話着信があった場合又は電子メールの着信があった場合に、当該機能を操作している間はカウントされない。
【００２０】
好適には、前記開検出部が前記第１の筐体と前記第２の筐体との位置状態の変化を検出した場合に、カメラ部の起動制御を開始し、前記カメラ部の起動の後、一定期間の間に前記カメラ部を操作がない場合には前記カメラ部の起動制御を停止する。
【００２１】
好適には、前記一定期間は、少なくとも、前記位置検出部が検出した位置情報から当該場所が前記カメラ部の使用頻度が高い場所であるか否か、過去の開動作後に前記カメラ部の操作の有無の、少なくともいずれか１つから設定される。
【発明の効果】
【００２２】
本発明によると、特段の操作を行わずに、カメラ機能を円滑に起動することができる携帯電子機器を提供することができる。
【図面の簡単な説明】
【００２３】
【図１】本発明の実施形態に係る携帯電話機の外観を開状態で示す斜視図である。
【図２】図１の反対方向から見た外観の斜視図である。
【図３】図１及び図２の携帯電話機の信号処理系を示すブロック図である。
【図４】本発明のカメラ部１３の起動処理の説明図である。
【図５】起動待機時間の設定方法を説明するフローチャートである。
【図６】本発明の変形例におけるカメラ部１３の起動処理の説明図である。
【図７】変形例の起動待機時間の設定方法を説明するフローチャートである。
【発明を実施するための形態】
【００２４】
図１は、本発明の実施形態に係る携帯電話機１の外観を開状態で示す斜視図である。
【００２５】
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００２６】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００２７】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２８】
また、図１のように、第２筐体フロントケース６の表面方向には、入力部１０が配置されている。この入力部１０をユーザが操作することによって、携帯電話機１に命令の入力、文字の入力等がなされる。
【００２９】
第１筐体フロントケース４には、開検出用穴部１４が穿かれている。この開検出用穴部１４の内部位置には、ホール素子が組み込まれており、このホール素子を後述する開検出用突起部１５が押圧することによって、携帯電話機１が開状態であるか、閉状態であるかが検出される。
第２筐体フロントケース６には、開検出用突起部１５が設けられている。この開検出用突起部１５は、円筒形状を有しており、開検出用穴部１４に挿入可能に設けられている。
開検出用穴部１４と開検出用突起部１５は、ヒンジ部９を中心として線対象位置に設けられている。
携帯電話機１が開状態においては、図１のように開検出用突起部１５と開検出用穴部１４とは離間した状態となっている。携帯電話機１が閉状態となると、開検出用突起部１５は開検出用穴部１４に挿入され、開検出用穴部１４の内部にあるホール素子を押圧する。
これを検出することによって、携帯電話機１は自身が開状態にあるかそれとも閉状態にあるかを判断することができる。
この開検出用突起部１５と開検出用穴部１４とを、合わせて開検出部５５という。
なお、開検出部５５の構成は、以上の方法に限定する趣旨ではなく、様々な方法で行われてよい。
たとえば、光学的な方法で検出することもできる。また、第１筐体２に永久磁石を設け、その磁力の変化を検出する検出機を第２筐体３に設けることもできる。
【００３０】
図２は、図１の反対方向から見た外観の斜視図である。
【００３１】
図２のように、第２筐体リアケース７の表面にカメラ部１３が形成されている。
もっとも、カメラ部１３の位置はこの位置に限定する趣旨ではなく例えば第１筐体リアケース５に形成されていてもよいし、さらに別の位置（ヒンジ部９、第１筐体フロントケース４、第２筐体フロントケース６、携帯電話機１とは別部材から成るカメラユニット等）に形成されていてもよい。
【００３２】
カメラ部１３は、ＣＣＤ（Charge Coupled Device Image Sensor）、ＣＭＯＳセンサ（Complementary Metal Oxide Semiconductor Sensor）等によって形成されている。
カメラ部１３は、レンズを移動させる光学ズーム機構を備えていてもよい。
【００３３】
このカメラ部１３は、使用したい場合には使用準備を始めてから数秒間の各種処理（レンズ機構のセットアップ、メモリのリセット等）がなされなければ、使用可能とならない。
したがって、何らの対策がなければ、ユーザがカメラ機能を選択しても使用可能となるまで数秒間待たなければならない。
そうすると、シャッターチャンスを逃してしまうことにもなりかねないし、そうでないとしても、カメラ機能が使用可能となるまでユーザは待たなくてはならないのであるから、ユーザに不要なストレスを与えることになってしまう。本発明はかかる事態の解消を以下の方法によって行っている。
【００３４】
図３は、図１及び図２の携帯電話機１の信号処理系を示すブロック図である。
【００３５】
図３に示されるように、携帯電話機１は、制御・処理の中枢である制御部５７と、通信部５１と、記憶部５６、タイマ５９、インターフェース５２、入力部１０、音声入出力部５３、開検出部５５、位置検出部５４及び表示部８のそれぞれが、アドレス、データ、コントロールのためのラインが複数本からなるシステムバス５８に共通に接続され、構成される。
【００３６】
通信部５１は、無線通信システムを捕捉し、通信ネットワークに接続される基地局との間で無線通信を行い、各種データの送受信を行う。各種データとは、Ｗｅｂ上のダウンロードサイトからダウンロードされるファイルのデータ、音声通話時の音声データ、電子メール送受信時の電子メールデータ、ウェブ閲覧時のウェブページデータ、等である。
【００３７】
入力部１０は、キー及びその他の部分から入力されるユーザの指示を受け付ける。
入力部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部５７に出力する。
【００３８】
音声入出力部５３は、スピーカから出力される音声信号やマイクロフォンにおいて入力される音声信号の入出力処理を行う。
【００３９】
表示部８は、例えばＬＣＤやＯＬＥＤを用いて構成されており、制御部５７から供給される映像信号に応じた画像を表示する。
表示部８は、例えば、通信部５１による無線発信時における発信先の電話番号、着信時における発信元の電話番号、受信電子メールや送信電子メールの内容、日付、時刻、電池残量、発信成否、待ち受け画面等を表示する。
【００４０】
インターフェース５２は、カメラ部１３が撮影した画像を処理する。
カメラ部１３は、ＣＣＤやＣＭＯＳセンサ等の光電変換素子とその制御回路等により構成されるカメラである。
【００４１】
記憶部５６では、携帯電話機１の各種処理に利用される各種データを記憶する。記憶部５６は、例えば制御部５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
【００４２】
なお、記憶部５６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００４３】
タイマ５９は、時間情報を発生し信号を発信する。この信号を受けて携帯電話機１の各種の電子機器は時間情報を取得することが可能となる。
本実施例においては特に、タイマ５９は、携帯電話機１の開動作があった後の経過時間を制御部５７が算出するための時間情報の基礎となっている。
【００４４】
開検出部５５は、図１のような機構又はその他の方法によって、携帯電話機１が開状態にあるのかそれとも閉状態にあるのかを検出している。
このような、開閉情報は制御部５７に送られる。
【００４５】
位置検出部５４は、携帯電話機１がどの場所にあるかを検出する。たとえば、ＧＰＳ（Global Positioning System）によって、位置情報を検出する場合もある。
また、通信部５１が基地局からの電波状況によって位置を割り出す方法もある。
さらに、非接触式ＩＣカードシステムによる駅改札を通過したという情報から、位置を割り出す方法であってもよい。
さらに、いわゆる、お財布携帯の機能によって入場券を購入したという様な情報によって検出することもできる。
【００４６】
制御部５７は、携帯電話機１の全体的な動作を統括的に制御する。
すなわち、制御部５７は、携帯電話機１の各種処理（回線交換網を介して行われる音声通話、電子メールの作成と送受信等）が入力部１０の操作に応じて適切な手順で実行されるように、上述した各ブロックの動作（通信部５１における信号の送受信、表示部８における画像の表示等）を制御する。
さらに、制御部５７は、記憶部５６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部５７は、記憶部５６に格納されるオペレーティングシステムやアプリケーションプログラム等のプログラムから命令コードを順次受け取って処理を実行する。
【００４７】
制御部５７は、本発明では特に、開検出部５５からの携帯電話機１の開状態情報を受けた時に、位置検出部５４から携帯電話機１の位置（場所）を受けて、その位置が観光地や行楽地等のカメラ部１３を頻繁に使う場所であるか否かの判断を自動的に行う。
そして、カメラ部１３が頻繁に使用される場所である場合には、ユーザからのカメラ部１３を使用する旨の指示を受ける前に、カメラ部１３が使用できるようカメラ部１３の起動制御を開始する。
そうすることによって、ユーザはよりすばやくカメラ機能を使用することが可能となる。
なお、カメラ部１３が頻繁に使用される場所であれば観光地、行楽地に限定される理由はない。
カメラ部１３が頻繁に使用される場所であるかは、前もって、記憶部５６が記憶していてもよいし、通信部５１等を使用して新たに取得してもよい。
さらに、ユーザの好みに応じて、一定の場所（例えば、若いユーザであれば遊園地やコンサート会場等）をカメラ部１３が頻繁に使用される場所として認識させるようにすることも可能である。
【００４８】
以上の、カメラ部１３が頻繁に使用される場所である場合にのみカメラ部１３の起動制御を開始する必要はなく、前回、携帯電話機１が操作された時（過去）に、カメラ機能を操作したか否か判断して、過去にカメラ機能が操作されていた場合にもカメラ部１３の起動制御を自動的に開始する。
なぜなら、過去にカメラ機能を操作したのであれば今回もカメラ機能を操作するために携帯電話機１が開動作された可能性が高いからである。
なお、必ずしも直近１回の過去の操作状況のみを用いる必要はなく、過去数回の平均を用いてもよい。さらに、数回の過去の操作状況を使用する場合には、直前ほど大きな重み係数をかけて判断させてもよい。
【００４９】
そして、制御部５７がカメラ機能を選択すれば、その指示に従ってカメラ部１３をそのまま起動制御を続けるが、その他の機能を選択して一定時間（起動待機時間）（ｔ）を経過してもカメラ機能をユーザが選択しない場合には、カメラ部１３の起動制御を停止する。
ここで、一定期間の起動待機時間（ｔ）とは、カメラ部１３が頻繁に使用される場所の情報、過去のカメラ部１３の操作状況等から決定する。
具体的には、行楽地でであって、過去にカメラ機能が操作されたのであれば最も長い一定期間（ｔ）が設定される。
過去にカメラ機能が操作されていなければ、比較的短い機動隊時期間（ｔ）時間を設定する。
なお、起動待機時間（ｔ）は、上記以外の様々な方法によって設定されてよい。
【００５０】
制御部５７は、携帯電話機１が開動作されたことを開検出部５５が検出して、その開情報が送られてきてから、タイマ５９から送られてくる時間情報をカウントして起動待機時間（ｔ）を経過したか判断している。
【００５１】
もっとも、外部からの電話通信を着信した場合や電子メールを着信した場合には、ユーザは通常において、カメラ機能よりもそれらに対する対応（電話の着信であれば電話応答、電子メールの着信においては電子メール内容を確認）するのが通常である。
その時間が長くなってしまい、カメラ部１３の起動制御が停止してしまうのは都合が悪い。そこで、そのような場合に、それらに対応する機能が選択されている間は、時間のカウントを停止する。
【００５２】
図４は、本発明のカメラ部１３の起動処理の説明図である。
【００５３】
ステップＳ０１において、開検出部５５によって筐体の開動作が検出される。開状態の検出は開検出用突起部１５と開検出用穴部１４等から構成される開検出部５５によってなされる。
もっとも、開検出部５５の構成は必ずしもこのような構成である必要はなく、他の方法であってもかまわない。
さらに、第１筐体２と第２筐体３を摺動させるスライド式の携帯電話機１であっても、その開状態を検出可能なものであればよい。
さらに加えて、第１筐体２と第２筐体３という２つの筐体を有する形状の携帯電話機１に限る必要はなく、一つの筐体から成る携帯電話機１であっても同様の制御が可能である。
たとえば、開動作ではなく、入力部１０への入力を開動作と同様の入力とすることによってカメラ部１３の起動制御を開始することも可能である。
【００５４】
ステップＳ０２において、位置検出部５４は携帯電話機１がどの位置（場所）に位置しているのかを検出する。
位置検出の方法は、ＧＰＳによって測定する方法であってもよいし、基地局との電波状態から測定する方法であってもよい。
さらに、非接触式ＩＣカードに記録されている各種の情報であってもよい。
【００５５】
ステップＳ０３において、位置検出部５４から検出された場所が観光地（行楽地）等のカメラ部１３を多用する場所であるか否か判断する。
この判断方法は、たとえば、記憶部５６が前もって地図情報を有しておりこの地図情報と位置検出部５４が検出した位置情報を対比させることによって行うこともできる。
また、非接触式ＩＣカードによって位置検出を行う場合には、非接触式ＩＣカードとの情報のやり取りの中に観光地等である旨の情報をも含ませることができる。
そして、観光地等であると判断された場合には、ステップＳ０５の処理に移行し、観光地ではないと判断された場合には、ステップＳ０４の処理に移行する。
【００５６】
ステップＳ０４において、前回、携帯電話機１が操作された時にカメラ部１３が操作されたか判断される。
なお、必ずしも前回の状況のみから判断する必要はなく過去数回の操作を元に判断させることもできる。
そして、前回、携帯電話機１が操作された時にカメラ部１３が操作されていた場合にはステップＳ０５の処理に移行し、前回、携帯電話機１が操作された時にカメラ部１３が操作されていない場合には、ステップＳ０６の処理に移行する。
【００５７】
ステップＳ０５において、カメラ部１３の起動制御を開始する。具体的には、可動レンズ等の駆動部がある場合には写像可能な位置に可動レンズを移動させ、必要なプログラムの実行を開始する。
【００５８】
ステップＳ０６においてカメラ部１３の起動制御を開始せずに処理を終了する。
カメラ部１３の起動制御を開始せずに処理を終了する場合とは、観光地等でもなく前回もカメラ部１３は操作されていなかった場合である。
この場合には、今回もカメラ部１３が操作されない可能性が高いのであるから、カメラ部１３の起動制御をして制御部５７に負荷をかける理由がないからである。
【００５９】
ステップＳ０７において、起動待機時間（ｔ）を設定する。この起動待機時間（ｔ）の設定方法は図５の説明のところで詳説する。
【００６０】
ステップＳ０８において、電話の着信及び電子メールの着信があった後に筐体の開検出があった時には当該機能を操作している間は、起動待機時間（ｔ）のカウントは停止する。
なぜなら、この期間は、電話であれば電話の応対を行うのが通常であるし、電子メールの着信があった時には電子メールの内容を確認するのが通常であり、当該機能を操作等している時には時間のカウントを停止するべきであるからである。
【００６１】
ステップＳ０９において、起動待機時間（ｔ）にカメラ部１３の起動動作があったか判断する。
そして、起動待機時間（ｔ）にカメラ部１３の起動動作があった場合にはステップＳ１０の処理に移行し、起動待機時間（ｔ）にカメラ部１３の起動動作がなかった場合にはステップＳ１１の処理に移行する。
起動待機時間（ｔ）にカメラ部１３の起動動作とは、たとえば、表示部８に表示されるメニュー画面でカメラ部１３の機能を選択することである。
【００６２】
ステップＳ１０において、制御部５７はカメラ部１３の起動制御を継続する。なぜなら、ユーザによってカメラ機能が選択されているのであるから、このまま起動を継続してカメラ部１３をできるだけ早く使用可能とするべきであるからである。
【００６３】
ステップＳ１１において、制御部５７はカメラ部１３の起動制御を停止する。なぜなら、一定時間内にユーザによってカメラ機能が選択されなかったのであるから、カメラ部１３の起動制御を停止して制御部５７の負荷を減らすべきであるからである。
【００６４】
図５は、起動待機時間の設定方法を説明するフローチャートである。
【００６５】
図５は、図４におけるステップＳ０７の処理をより具体化した処理である。
ステップＳ１２において、位置検出部５４が検出した位置情報を取得する。
【００６６】
ステップＳ１３において、位置検出部５４が検出した位置情報からその場所が観光地等であるかを判断する。
そして、観光地等である場合には、ステップＳ１４の処理に移行し、観光地等ではない場合にはステップＳ１６の処理に移行する。
【００６７】
ステップＳ１４において、前回、カメラ部１３を操作があったのか判断される。
そして、前回の携帯電話機１の操作時にカメラ機能を操作していた場合にはステップＳ１５に処理が移行し、カメラ機能を操作していない場合にはステップＳ１６に処理を移行する。
【００６８】
ステップＳ１５において、起動待機時間（ｔ）を長く設定する。たとえば、１０秒である。
【００６９】
ステップＳ１６において、起動待機時間（ｔ）をステップＳ１５で設定した場合よりも短く設定する。たとえば、３秒である。
【００７０】
以上の様に構成したことによって、カメラ機能を使用するまでの待ち時間を短縮化することができる。
さらに、起動待機時間（ｔ）の間にカメラ機能がユーザによって選択されない場合には、カメラ部１３の起動制御が停止されるのであるから、それ以降は無駄な電力を消費せず消費電力の低減となる。
位置検出部５４の位置情報によって、観光地等のカメラ部１３を多用する場所では円滑にカメラ機能を使用できるのであるからユーザの利便性が増す。
通常カメラ機能を急速に使用したい場合にはそれ専用の特定キーが携帯電話機１に配置されているのが通常であるが、本発明の方法では、特定キーを押して直接カメラ部１３を立ち上げる場合と、たとえばメニュー画面からカメラ機能を選択した場合とで立ち上がりに差はなくなる。
それゆえ、特定キーを削除することができ、キー設置面積を節約したい携帯電話機１においては有利である。
【００７１】
＜変形例＞
以上の実施態様では、携帯電話機１は観光地等の場所にいる場合及び前回もカメラ機能が操作されていた場合にのみカメラ部１３は起動開始を行っていた。
しかし、携帯電話機１が開状態となったことを開検出部５５が検出した場合には、自動的にカメラ部１３の起動制御を開始するようにしてもよい。
そして、一定期間である起動待機時間（ｔ）が経過してもカメラ機能がユーザによって選択されない場合には、カメラ部１３の起動制御を停止してもよい。
その際、起動待機時間（ｔ）は、位置検出部５４からの観光地等であるか及び前回の操作時にカメラ機能が操作されたかによって決定される。
【００７２】
図６は、本発明の変形例におけるカメラ部１３の起動処理の説明図である。
【００７３】
ステップＳ２１において、開検出部５５によって筐体の開動作が検出される。開状態の検出は開検出用突起部１５と開検出用穴部１４等から構成される開検出部５５によってなされる。
もっとも、開検出部５５の構成は必ずしもこのような構成である必要はなく、他の方法であってもかまわない。
さらに、第１筐体２と第２筐体３を摺動させるスライド式の携帯電話機１であっても、その開状態を検出可能なものであればよい。
さらに加えて、第１筐体２と第２筐体３という２つの筐体を有する形状の携帯電話機１に限る必要はなく、一つの筐体から成る携帯電話機１であっても同様の制御が可能である。
たとえば、開動作ではなく、入力部１０への入力を開動作と同様の入力とすることによってカメラ部１３の起動制御を開始することも可能である。
【００７４】
ステップＳ２２において、カメラ部１３の起動制御を開始する。具体的には、可動レンズ等の駆動部がある場合には写像可能な位置に可動レンズを移動させ、必要なプログラムの実行を開始する。
【００７５】
ステップＳ２３において、起動待機時間（ｔ）を設定する。この起動待機時間（ｔ）の設定方法は図７の説明のところで詳説する。
【００７６】
ステップＳ２４において、電話の着信及び電子メールの着信があった後に筐体の開検出があった時には当該機能を使用している間は、起動待機時間（ｔ）のカウントは停止する。
なぜなら、この期間は、電話であれば電話の応対を行うのが通常であるし、電子メールの着信があった時には電子メールの内容を確認するのが通常であり、当該機能を操作等している時には時間のカウントを停止するべきであるからである。
【００７７】
ステップＳ２５において、起動待機時間（ｔ）にカメラ部１３の起動動作があったか判断する。
そして、起動待機時間（ｔ）にカメラ部１３の起動動作があった場合にはステップＳ２６の処理に移行し、起動待機時間（ｔ）にカメラ部１３の起動動作がなかった場合にはステップＳ２７の処理に移行する。
起動待機時間（ｔ）にカメラ部１３の起動動作とは、たとえば、表示部８に表示されるメニュー画面でカメラ部１３の機能を選択することである。
【００７８】
図７は、変形例の起動待機時間の設定方法を説明するフローチャートである。
【００７９】
図７は、図６におけるステップＳ２３の処理をより具体化した処理である。
ステップＳ２８において、位置検出部５４が検出した位置情報を取得する。
【００８０】
ステップＳ１３において、位置検出部５４が検出した位置情報からその場所が観光地等であるかを判断する。
そして、観光地等である場合には、ステップＳ３０の処理に移行し、観光地等ではない場合にはステップＳ３１の処理に移行する。
【００８１】
ステップＳ３０において、前回、カメラ部１３を操作を行っていたのか判断される。
そして、前回の携帯電話機１の操作時にカメラ機能を操作していた場合にはステップＳ３２に処理が移行し、カメラ機能を操作していない場合にはステップＳ３３に処理を移行する。
【００８２】
ステップＳ３１において、前回、カメラ部１３を操作を行っていたのか判断される。
そして、前回の携帯電話機１の操作時にカメラ機能を操作していた場合にはステップＳ３３に処理が移行し、カメラ機能を操作していない場合にはステップＳ３４に処理を移行する。
【００８３】
ステップＳ３２において、起動待機時間（ｔ）を長く設定する。たとえば、１０秒である。
【００８４】
ステップＳ３３において、起動待機時間（ｔ）をステップＳ３２で設定した場合よりも短く設定する。たとえば、３秒である。
【００８５】
ステップＳ３４において、起動待機時間（ｔ）をステップＳ３３で設定した場合よりもさらに短く設定する。たとえば、１秒である。
【００８６】
以上の様に構成したことによって、カメラ機能を使用するまでの待ち時間を短縮化することができる。
さらに、起動待機時間（ｔ）の間にカメラ機能がユーザによって選択されない場合には、カメラ部１３の起動制御が停止されるのであるから、それ以降は無駄な電力を消費せず消費電力の低減となる。
位置検出部５４の位置情報によって、観光地等のカメラ部１３を多用する場所では円滑にカメラ機能を使用できるのであるからユーザの利便性が増す。
通常カメラ機能を急速に使用したい場合にはそれ専用の特定キーが携帯電話機１に配置されているのが通常であるが、本発明の方法では、特定キーを押して直接カメラ部１３を立ち上げる場合と、たとえばメニュー画面からカメラ機能を選択した場合とで立ち上がりに差はなくなる。
それゆえ、特定キーを削除することができ、キー設置面積を節約したい携帯電話機１においては有利である。
【００８７】
以上の実施形態によれば、本発明の携帯電子機器は、第１筐体２と、第１筐体２と相対移動可能である第２筐体３と、第１筐体２と第２筐体３との相対位置状態を検出し開動作の有無を検出する開検出部５５と、第１筐体２又は第２筐体３に配設された、第１筐体２及び第２筐体３の位置情報を検出する位置検出部５４と、を有している。
そして、第１筐体２又は第２筐体３に配設されたカメラ部１３と、カメラ部１３及び位置検出部５４を制御する制御部５７と、を有している。
また、開検出部５５が第１筐体２と第２筐体３との位置状態の変化を検出した場合に、制御部５７は位置検出部５４の情報に基づき、カメラ部１３の起動を制御する。
このような構成としたことによって、カメラ機能を使用するまでの待ち時間を短縮化することができる。
【００８８】
また、制御部５７は、位置検出部５４が検出した位置情報から当該場所がカメラ部１３の使用頻度が高い場所であるかを判断し、カメラ部１３の使用頻度が高い場所である場合には、カメラ部１３の起動制御を開始する。
このような構成としたことによって、観光地等のカメラ部１３の使用頻度が高い場所において高速・円滑にカメラ機能を使用することが可能となる。
【００８９】
制御部５７は、過去の開動作後にカメラ部１３の操作の有無を判断し、カメラ部１３の操作があった場合にはカメラ部１３の起動制御を開始する。
このような構成としたことによって、カメラ機能を使用する可能性が高い場合に高速・円滑にカメラ機能を使用することが可能となる。
【００９０】
制御部５７は、カメラ部１３の起動の後、一定期間の間にカメラ部１３の操作がない場合にはカメラ部１３の起動制御を停止する。
このような構成によって、起動待機時間（ｔ）の間にカメラ機能がユーザによって選択されない場合には、カメラ部１３の起動制御が停止されるのであるから、それ以降は無駄な電力を消費せず消費電力の低減となる。
【００９１】
制御部５７がカメラ部１３の起動制御を停止するのに用いる一定期間は、少なくとも、位置検出部５４が検出した位置情報から当該場所がカメラ部１３の使用頻度が高い場所であるか否か、過去の開動作後にカメラ部１３の使用の有無の、少なくともいずれか１つから設定される。
このように構成したことによって、カメラ機能が選択される可能性の高さに応じて、カメラ部１３の使用へのスタンバイ状態の期間が決定される。
そしてそのことは、カメラ部１３が使用される可能性が低いにもかかわらず無駄にスタンバイ状態を維持しなくて済むのであるから、消費電力の低減にもつながる。
【００９２】
制御部５７がカメラ部１３の起動制御を停止するのに用いる一定期間のカウントは、通話着信があった場合又は電子メールの着信があった場合に、当該機能を操作している間はカウントされない。
このように構成したことによって、電話着信及び電子メール着信に対応している間に、起動待機時間（ｔ）が経過してしまうことを防ぐことができる。
【００９３】
制御部５７は、開検出部５５が第１筐体２と第２筐体３との位置状態の変化を検出した場合に、カメラ部１３の起動制御を開始し、カメラ部１３の起動の後、一定期間の間にカメラ部１３の操作がない場合にはカメラ部１３の起動制御を停止する。
この様に構成したことによって、カメラ機能を使用するまでの待ち時間を短縮化することができる。
【００９４】
制御部５７がカメラ部１３の起動制御を停止するのに用いる一定期間は、少なくとも、位置検出部５４が検出した位置情報から当該場所がカメラ部１３の使用頻度が高い場所であるか否か、過去の開動作後にカメラ部１３の操作の有無の、少なくともいずれか１つから設定される。
このように構成したことによって、カメラ機能が選択される可能性の高さに応じて、カメラ部１３の使用へのスタンバイ状態の期間が決定される。
そしてそのことは、カメラ部１３が操作される可能性が低いにもかかわらず無駄にスタンバイ状態を維持しなくて済むのであるから、消費電力の低減にもつながる。
【００９５】
カメラ部１３付携帯電話機１のカメラ部１３の制御方法であって、第１筐体２と第２筐体３との相対位置状態を検出し開動作の有無を開検出部５５が検出し、開動作があった場合に携帯電話機１の位置を位置検出部５４が検出する。
そして、開動作が検出された場合に、位置検出部５４の位置情報に基づき、前記カメラ部の起動を制御する。
このような構成としたことによって、カメラ機能を使用するまでの待ち時間を短縮化することができる。
【００９６】
位置情報から携帯電話機１の存在する場所がカメラ部１３の使用頻度が高い場所であるかを判断し、カメラ部１３の使用頻度が高い場所である場合には、カメラ部１３の起動制御を開始する。
このような構成としたことによって、観光地等のカメラ部１３の使用頻度が高い場所において高速・円滑にカメラ機能を使用することが可能となる。
【００９７】
過去の開動作後にカメラ部１３の操作の有無を判断し、カメラ部１３の操作があった場合にはカメラ部１３の起動制御を開始する。
このような構成としたことによって、カメラ機能を操作する可能性が高い場合に高速・円滑にカメラ機能を操作することが可能となる。
【００９８】
カメラ部１３の起動の後、一定期間の間にカメラ部１３の操作がない場合にはカメラ部の起動制御を停止する。
このような構成によって、起動待機時間（ｔ）の間にカメラ機能がユーザによって選択されない場合には、カメラ部１３の起動制御が停止されるのであるから、それ以降は無駄な電力を消費せず消費電力の低減となる。
【００９９】
起動制御を停止するのに用いる一定期間は、少なくとも、位置検出部５４が検出した位置情報から当該場所がカメラ部１３の使用頻度が高い場所であるか否か、過去の開動作後にカメラ部１３の操作の有無の、少なくともいずれか１つから設定される。
このように構成したことによって、カメラ機能が選択される可能性の高さに応じて、カメラ部１３の使用へのスタンバイ状態の期間が決定される。
そしてそのことは、カメラ部１３が操作される可能性が低いにもかかわらず無駄にスタンバイ状態を維持しなくて済むのであるから、消費電力の低減にもつながる。
【０１００】
カメラ部１３の起動制御を停止するのに用いる一定期間は、通話着信があった場合又は電子メールの着信があった場合に、当該機能を操作している間はカウントされない。
このように構成したことによって、電話着信及び電子メール着信に対応している間に、起動待機時間（ｔ）が経過してしまうことを防ぐことができる。
【０１０１】
開検出部５５が第１筐体２と第２筐体３との位置状態の変化を検出した場合に、カメラ部１３の起動制御を開始し、カメラ部１３の起動の後、一定期間の間にカメラ部１３の操作がない場合にはカメラ部１３の起動制御を停止する。
この様に構成したことによって、カメラ機能を使用するまでの待ち時間を短縮化することができる。
【０１０２】
一定期間は、少なくとも、位置検出部５４が検出した位置情報から当該場所がカメラ部１３の使用頻度が高い場所であるか否か、過去の開動作後にカメラ部１３の使用の有無の、少なくともいずれか１つから設定される。
このように構成したことによって、カメラ機能が選択される可能性の高さに応じて、カメラ部１３の使用へのスタンバイ状態の期間が決定される。
そしてそのことは、カメラ部１３が使用される可能性が低いにもかかわらず無駄にスタンバイ状態を維持しなくて済むのであるから、消費電力の低減にもつながる。
【０１０３】
本発明における「カメラ部の使用頻度が高い場所」であるかの判断は、以下の様に行ってもよい。
カメラ部が使用された位置情報と、その位置での使用回数を累積して記憶部５６に記憶しておき、再度その位置で、開動作が検出した場合であり、かつ、所定の回数以上であった場合に、使用頻度が高いと判断する。
【０１０４】
本発明は、以上の実施形態に限定されず、種々の態様で実施されてよい。
【０１０５】
携帯電子機器は、携帯電話機１に限定されない。例えば、携帯電子機器は、ノートパソコン、ＰＤＡ、ゲーム機、カメラであってもよい。
また、携帯電子機器は、折り畳み式のものに限定されず、スライド式の携帯電話機１であってもよい。
さらにまた、ケースが一体的に構成されたもの（１つのみのケース）であってもよい。
【符号の説明】
【０１０６】
１…携帯電話機、２…第１筐体（第１の筐体）、３…第２筐体（第２の筐体）、４…第１筐体フロントケース、５…第１筐体リアケース、６…第２筐体フロントケース、７…第２筐体リアケース、８…表示部、９…ヒンジ部、１０…入力部、１１…右側面、１２…左側面、１３…カメラ部、１４…開検出用穴部、１５…開検出用突起部、１６…開検出部、５１…通信部、５２…インターフェース、５３…音声入出力部、５４…位置検出部、５５…開検出部、５６…記憶部、５７制御部、５８…システムバス、５９…タイマ
【図１】
2011049905.tif 000003
【図２】
2011049905.tif 000004
【図３】
2011049905.tif 000005
【図４】
2011049905.tif 000006
【図５】
2011049905.tif 000007
【図６】
2011049905.tif 000008
【図７】
2011049905.tif 000009